(57)【要約】      （修正有）【課題】単純な構造でありながら、容易に（弱い力で）解除できるストッパを備える容器を提供する。【解決手段】本発明の容器は、所定の流体が収容される本体容器部と；前記本体容器部の内部と連通したポンプ機構部と；前記ポンプ機構部の上端に連結され、下側に向かってスライド可能なポンプヘッドと；その周囲を前記ポンプヘッドがスライドする案内筒とを備える。前記ポンプヘッドと一体的に成形され、前記ポンプヘッドと前記案内筒の下端部との間に配置され、当該容器の未使用時に前記ポンプヘッドの押し下げを防止するストッパを更に備える。前記ストッパは、前記ポンプヘッドの一部に対して破断可能な状態で連結される連結部と、前記案内筒の下端部付近に固定される係合部とを有する。更に、前記ストッパの連結部を破断することにより、前記ポンプヘッドの押し下げ動作を許容するとともに、前記係合部が離脱可能になるように構成されている。【選択図】図１
2010228767.tif 000002
【特許請求の範囲】
【請求項１】
所定の流体が収容される本体容器部と；
前記本体容器部の内部と連通したポンプ機構部と；
前記ポンプ機構部の上端に連結され、下側に向かってスライド可能なポンプヘッドと；
その周囲を前記ポンプヘッドがスライドする案内筒とを備え、
前記ポンプヘッドを押し下げることによって、前記ポンプ機構が作動し、当該本体容器部内の前記流体を当該ポンプヘッドから排出可能な構成であり、
前記ポンプヘッドと一体的に成形され、前記ポンプヘッドと前記案内筒の下端部との間に配置され、当該容器の未使用時に前記ポンプヘッドの押し下げを防止するストッパを更に備え、
前記ストッパは、前記ポンプヘッドの一部に対して破断可能な状態で連結される連結部と、前記案内筒の下端部付近に係止される係合部とを有し、
前記ストッパの連結部を破断することにより、前記ポンプヘッドの押し下げ動作を許容するとともに、前記係合部が離脱可能になるように構成されたことを特徴とする容器。
【請求項２】
前記ストッパは、前記連結部から概ね水平方向に延びる押圧部を更に備え、
当該押圧部に対して下方向の力を加えたときに、前記係合部付近が支点となって前記連結部に破断力が作用する構成であることを特徴とする請求項１に記載の容器。
【請求項３】
前記本体容器の上部に設けられるキャップを更に備え、
前記案内筒は前記キャップと一体的に成形され、
前記案内筒には、上下方向に延びる溝が形成され、
前記溝は前記キャップの上面から入り込んで凹部を形成し、
前記ストッパの係合部が前記凹部に係止されることを特徴とする請求項１又は２に記載の容器。
【発明の詳細な説明】
【技術分野】
【０００１】
この発明は、主に化粧品やシャンプーなどの液体又は流体を収容した容器に関する。特に、ポンプを用いて内容物を取り出す構造の容器における「未使用状態」を確保する構造の改良に関する。
【背景技術】
【０００２】
一般に、ポンプ付き容器が未使用状態であることを確保する為に、ポンプの首の部分に初回使用時に切り離し可能なストッパを設ける構造が知られている。特許文献１、特許文献２には、破断可能なストッパを備えた容器が開示されている。従来の容器においては、ストッパに破断容易な脆弱部が設けられ、初回使用時に、ストッパ自身を掴み取るか又は捩じるなどして脆弱部を破断する。これによってストッパが外れ、ポンプが作動可能な状態となる。
【特許文献１】特開２００６―２８２１９７
【特許文献２】特開２００４―３３８７８８
【０００３】
しかしながら、ストッパを捩り切る構成とする場合には、ポンプのヘッドや容器本体のストッパが連結された部品の剛性を高くする必要がある。また、ストッパ周囲の部品の剛性が高くなるため、その破断には比較的大きな力が必要となる他、設計上の制約も大きくなる。一方、ツマミを掴んで取る場合には、「つかむ」という比較的大きな力が必要となる。また、手が滑りやすくなっている場合には、上手く掴めないことも多い。
【発明の概要】
【発明が解決しようとする課題】
【０００４】
本発明は、上記のような状況に鑑みてなされたものであり、単純な構造でありながら、安価で容易に（弱い力で）解除できるストッパを備える容器を提供することを目的とする。
【課題を解決するための手段】
【０００５】
上記課題を解決するために、本発明に係る容器は、所定の流体が収容される本体容器部と；前記本体容器部の内部と連通したポンプ機構部と；前記ポンプ機構部の上端に連結され、下側に向かってスライド可能なポンプヘッドと；その周囲を前記ポンプヘッドがスライドする案内筒とを備える。そして、前記ポンプヘッドを押し下げることによって、前記ポンプ機構が作動し、当該本体容器内の前記流体を当該ポンプヘッドから排出可能な構成である。前記ポンプヘッドと一体的に成形され、前記ポンプヘッドと前記案内筒の下端部との間に配置され、当該容器の未使用時に前記ポンプヘッドの押し下げを防止するストッパを更に備える。前記ストッパは、前記ポンプヘッドの一部に対して破断可能な状態で連結される連結部と、前記案内筒の下端部付近に係止される係合部とを有する。更に、前記ストッパの連結部を破断することにより、前記ポンプヘッドの押し下げ動作を許容するとともに、前記係合部が離脱可能になるように構成されている。
【０００６】
好ましくは、前記ストッパは、前記連結部から概ね水平方向に延びる押圧部を更に備える。この押圧部に対して下方向の力を加えたときに、前記係合部付近が支点となって前記連結部に破断力が作用する構造とする。この構成により、小さな力でストッパを取り外すことができる。また、力を加える方向が下方向なので、「てこ」の原理を有効に働かせることができ、手指で加圧しやすいという利点がある。なお、押圧部が水平方向（ポンプヘッド吐出口と同方向）に延びることから、この機構にオーバーキャップ（ノズルカバー）を装着することも可能である。
【０００７】
更に好ましくは、前記本体容器の上部に設けられるキャップを更に備え、前記案内筒を前記キャップと一体的に成形する。前記案内筒には、上下方向に延びる溝が形成される。前記溝は前記キャップの上面から入り込んで凹部を形成する。そして、前記ストッパの係合部が前記凹部に係止される。これにより、未使用時のストッパの固定（組み立て）がより容易且つ確実に行えるという効果がある。
【０００８】
なお、本発明において、容器に収容される流体は、シャンプーや化粧水などの液体ばかりでなくジェル状の流体や粉体等が混合された流体物なども含む。
【図面の簡単な説明】
【０００９】
【図１】図１は、本発明に係る容器を示す斜視図であり、未使用の状態を示す。
【図２】図２は、本発明に係る容器を示す斜視図であり、使用開始後（ストッパ解除後）の状態を示す。
【図３】図３は、図１の容器に使用されるポンプヘッドを示す側面図である。
【図４】図４は、図１の容器に使用されるポンプヘッドを示す正面図である。
【図５】図５は、図１の容器の要部（ポンプヘッド＋ストッパ）を示す側面図であり、成形直後（組み付け前）の状態を示す。
【図６】図６は、図１の容器に使用されるポンプヘッドの組み立て工程を示す側面図である。
【図７】図７は、図１の容器に使用されるポンプヘッドの組み立て工程を示す側面図である。
【図８】図８は、図１の容器の要部（ポンプヘッド周辺）を示す側面図であり、未使用の状態を示す。
【図９】図９は、図１の容器の要部（ポンプヘッド周辺）を示す側面図であり、ストッパ解除の途中状態を示す。
【図１０】図１０は、図１の容器の要部（ポンプヘッド周辺）を示す側面図であり、ストッパ除去後の状態を示す。
【発明を実施するための最良の形態】
【００１０】
以下、図面を参照して、本発明の実施の形態について説明する。図１及び図２は、本発明に係る容器を示す斜視図であり、各々未使用の状態、使用開始後（ストッパ解除後）の状態を示す。本発明に係る容器は、シャンプーや化粧水等の所定の流体が収容される本体容器部１４と；本体容器部１４の内部と連通したポンプ機構部（２２他）と；ポンプ機構部の上端に連結され、下側に向かってスライド可能なポンプヘッド１２と；その周囲をポンプヘッド１２がスライドする案内筒２２と；本体容器部１４の上部に設けられるキャップ１６とを備えている。
【００１１】
ポンプヘッド１２を本体容器部１４側に向かって押し下げることによって、ポンプ機構（図示せず）が作動し、当該本体容器１４内の流体を当該ポンプヘッド１２のノズル２０から排出可能となる。本発明の特徴は、ポンプヘッド１２の作動を規制するストッパ１８の構造にある。ストッパ１８は、ポンプヘッド１２と一体的に成形され、ポンプヘッド１２と案内筒２２の下端部との間に配置され、当該容器の未使用時にポンプヘッド１２の押し下げを防止する。ストッパ１８を含むポンプヘッド１２は、ポリプロピレン、ポリエチレン等によって成形することができる。なお、ストッパ１８の詳細については後述する。
【００１２】
キャップ１６は、案内筒２２と一体的に成形することができる。案内筒２２には、上下方向に延びる断面矩形の溝４０が形成されている。溝４０の下端は、キャップの上面から入り込んで凹部４０ａを形成する。
【００１３】
図３及び図４は、ポンプヘッド１２を示す側面図及び正面図である。ストッパ１８は、ポンプヘッド１２の一部に対して破断可能な状態で連結される連結部（脆弱部）３２を有している。連結部３２は、他の部分より薄肉且つ細身に形成され、破断容易な脆弱部として機能する。ストッパ１８の連結部３２を破断することにより、ポンプヘッド１２の押し下げ動作を許容する。なお、連結部３２の肉厚は例えば、約０．３ｍｍとすることができる。また、連結部３２の破断時の押し強度は５〜３０Ｎとすることができる。
【００１４】
ストッパ１８は、垂直方向に延びる基幹部３８を備えている。基幹部３８の下端部付近には、溝４０の凹部４０ａに嵌め込まれてストッパ１８を固定する係合部３８ａが設けられている。このような構造により、未使用時のストッパの固定（組み立て）がより容易且つ確実に行える。ストッパ１８が容器に固定された後、押圧部３４に下方向の力が加えられると、係合部３８ａは凹部４０ａの内壁又は角部と強く接触し、「てこ」の支点を形成する。
【００１５】
ストッパ１８が容器に固定される前（係合部３８ａが凹部４０ａに嵌め込まれる前）の状況では、ポンプヘッド１２は上下に摺動可能である。従って、ポンプヘッド１２を容器に取り付けた状態でも、ポンプ機能等の検査をすることが可能となる。従来の液体容器では、ポンプヘッドとストッパが容器又はキャップ（フタ）部分に対して熔着等によって初めから固定されているため、ポンプヘッドを取り付けた状態で、作動検査をすることができなかった。また、ポンプヘッドの組み立てが困難であった。
【００１６】
ストッパ１８は、更に、連結部３２の下端付近から概ね水平方向に延びる押圧部３４を更に備える。この押圧部３４に対して下方向の力を加えたときに、基幹部３８の係合部３８ａ付近が支点となって連結部３２に破断力が作用する。これにより、小さな力でストッパ１８を取り外すことが可能となる。また、力を加える方向が下方向なので、「てこ」の原理を有効に働かせることができ、手指で加圧しやすいという利点がある。
【００１７】
ストッパ１８は、押圧部３４と基幹部３８の間に三角形状の支持板３６を備える。支持板３６は、押圧部３４に下方向に加えられる力を十分に基幹部３８で受けるために設けられる。本実施例の支持板３６は、押圧部３４と基幹部３８のそれぞれ一部を一辺とする三角形状をしている。この支持板３６により、押圧部３４に加えられた下方向のほとんどの力が、基幹部３８に伝えられる。
【００１８】
更にストッパ１８は、基幹部３８を補強する背板３９を備えている。背板３９は、基幹部３８の中心付近を長手方向に延び、基幹部３８から直角方向に立ち上がるように設けられる。背板３９は、基幹部３８の剛性を高めて撓み変形を防ぎ、連結部３２に充分な破断力が伝わるように配慮されている。
【００１９】
ポンプヘッド１２の内側には、案内筒２２の溝４０に沿って摺動するガイド突起１２ａが上下方向に延びている。このガイド突起１２ａと溝４０との係合によってポンプヘッド１２のスライドがガイドされ、ポンプヘッド１２の不要な回転を規制している。結局、溝４０は容器の使用前においては、ストッパ１８の係合部３８ａを保持する凹部４０ａを形成し、ストッパ１８を除去した後はポンプヘッド１２のガイド溝として機能する。
【００２０】
次に、ポンプヘッド１２の取り付け工程について、図５〜図７を参照して簡単に説明する。ポンプヘッド１２が容器に組み付けられる前の単体の状態では、図５に示すように、ストッパ１８は連結部３２のみによってポンプヘッド１２に連結された状態となる。この時、ストッパ１８はポンプヘッド１２から水平方向に延び、連結部３２を軸にしてポンプヘッド１２に対して自由に揺動または回動可能となる。
【００２１】
ポンプヘッド１２を容器にセットする際には、図６に示すように、ポンプヘッド１２を案内筒２２の上部に差し込む。次に、図７に示すように、ストッパ１８を案内筒２２側に向かって移動させ、係合部３８ａを凹部４０ａに嵌め込む。この際、連結部３２は弾性変形する。ストッパ１８が組み付けられると、ポンプヘッド１２は上下に摺動不能となる（図８参照）。この状態で、例えばオーバーキャップ（図示せず）を被せ、包装を施して出荷する。なお、ストッパ１８は凹部４０ａに係止されている状態では、連結部３２がつながっており、使用時に当該部分３２を破断しない限り使用できないようになっている。
【００２２】
次に、ストッパ１８の解除動作について図８〜図１０を参照して説明する。図８〜図１０は、図１の容器の要部（ポンプヘッド周辺）を示す側面図であり、各々未使用の状態、ストッパ解除の途中状態、ストッパ除去（解除）後の状態を示す。
【００２３】
消費者が購入後はじめて使用するに際し、ストッパ１８の押圧部３４を押し下げると、係合部３８ａ付近が支点となり、連結部３２に破断力が作用し、連結部３２が破断する（図９参照）。破断には、てこの原理が働くため比較的小さな力で連結部３２を破断することができる。
【００２４】
ストッパ１８の係合部３８ａは、凹部４０ａに、単に嵌め込まれているだけであり、連結部３２が破断した後のストッパ１８は容易に凹部から離脱可能となる。ストッパ１８が取り外されると（図１０参照）、ポンプヘッド１２の押し下げ動作が許容される。
【００２５】
このように、一度ストッパ１８が固定されると、連結部３２が破断されストッパ１８が外されない限り、ポンプヘッド１２が押し下げられることはない。ストッパ１８の破断状態を見ることにより、初回の使用時まで、容器の不正使用や未使用状態を目視で確認することができる。
【００２６】
以上本発明の実施例について説明したが、本発明は上記実施例に限定されるものではなく、特許請求の範囲に記載された技術的思想を逸脱しない範囲で種々の設計変更等が可能である。
【００２７】
例えば、実施例ではストッパ１８の支持板３６は三角形だが、アーチ形状や、四角形状等であってもよい。また、押圧版の形状も長方形の他、楕円や丸形状しても良い。すなわち、押圧板３４に加えられた力が基幹部３８を介して係合部３８ａに上手く伝わる形状であれば、これらの形状に限らない。
【符号の説明】
【００２８】
１２：ポンプヘッド
１４：本体容器部
１６：キャップ
１８：ストッパ
２０：ノズル
２２：案内筒
３８ａ：係合部
４０：溝部
４０ａ：凹部
３２：連結部（脆弱部）
３４：押圧部
３６：支持板
【図１】
2010228767.tif 000003
【図２】
2010228767.tif 000004
【図３】
2010228767.tif 000005
【図４】
2010228767.tif 000006
【図５】
2010228767.tif 000007
【図６】
2010228767.tif 000008
【図７】
2010228767.tif 000009
【図８】
2010228767.tif 000010
【図９】
2010228767.tif 000011
【図１０】
2010228767.tif 000012